【手続補正書】
【提出日】平成21年8月13日(2009.8.13)
【手続補正１】
【補正対象書類名】特許請求の範囲
【補正対象項目名】全文
【補正方法】変更
【補正の内容】
【特許請求の範囲】
【請求項１】
インプット・デバイスのキーパッドからのサーチ用語のキーパッド・インプットを受信すること、
前記インプット・デバイスの前記キーパッドのキーパッド表現を表示することであって、前記キーパッド表現は、インプット・キーを有し、少なくとも１つのインプット・キーが、複数の文字の表示を含むこと、
前記サーチ用語のキーパッド・インプットを、データベース内の１つまたは複数のサーチ可能エントリに相互に関係付けること、および、
各キーパッド・インプットが受信された後に、前記少なくとも１つのインプット・キー上の前記複数の文字の前記表示を変更することであって、後続の有力な候補の文字選択を、前記受信されたキーパッド・インプットに基づいて表示するように前記少なくとも１つのインプット・キー上の前記複数の文字を変更することを含むこと
を備えることを特徴とする方法。
【請求項２】
請求項１に記載の方法において、前記キーパッド・インプットを、受信されるにつれて表示することをさらに備えることを特徴とする方法。
【請求項３】
請求項１に記載の方法において、前記受信されたキーパッド・インプットに相互に関係する、前記データベースからの、前記１つまたは複数のサーチ可能エントリを表示することをさらに備えることを特徴とする方法。
【請求項４】
請求項１に記載の方法において、前記表示を変更することは、前記受信されたキーパッド・インプットに相互に関係する、前記データベースからの、サーチ可能エントリを表示するように、前記少なくとも１つのインプット・キー上の前記複数の文字を変更することを含むことを特徴とする方法。
【請求項５】
請求項１に記載の方法において、前記キーパッド表現の前記インプット・キー上の前記複数の文字の前記表示を変更することをさらに備え、前記少なくとも１つのインプット・キー上の前記表示は、後続の有力な候補の文字選択を、前記受信されたキーパッド・インプットに基づいて表示するように変更され、少なくとも第２のインプット・キー上の前記表示は、前記受信されたキーパッド・インプットに相互に関係する、前記データベースからの、サーチ可能エントリの一部を表示するように変更されることを特徴とする方法。
【請求項６】
請求項１に記載の方法において、さらに、
前記受信されたキーパッド・インプットに相互に関係する、データベースからの、１つまたは複数のサーチ可能エントリを、表示すること、
前記データベースからのサーチ可能エントリを、前記キーパッド表現上のインプット・キーに関連付けるインプット・キー番号を表示すること
を備えることを特徴とする方法。
【請求項７】
請求項１に記載の方法において、さらに、
前記受信されたキーパッド・インプットに相互に関係する、前記データベースからの、前記１つまたは複数のサーチ可能エントリを表示すること、
前記データベースからのサーチ可能エントリを、前記キーパッド表現上のインプット・キーに関連付けるインプット・キー番号を表示すること、および
前記インプット・デバイスの前記キーパッドから入力されたキーパッド・インプットを受信し、前記インプット・キー番号に関連付けられた前記サーチ可能エントリを選択すること
を備えることを特徴とする方法。
【請求項８】
テレビジョン・リモート・コントロール・デバイスのキーパッドから入力されたサーチ用語のキーパッド・インプットを受信するように構成されたテレビジョン・ベースのデバイスと、
前記キーパッド・インプットを、受信されるにつれて表示するように構成されたユーザ・インターフェースであって、前記テレビジョン・リモート・コントロール・デバイスの前記キーパッドを表わしている英数字キーパッドを表示するようにさらに構成され、前記英数字キーパッドはインプット・キーを有し、少なくとも１つのインプット・キーが複数の文字の表示を含むユーザ・インターフェースと、
前記サーチ用語のキーパッド・インプットを、データベース内の１つまたは複数のサーチ可能エントリに相互に関係付けるように構成されたプログラム化したアプリケーションであって、各キーパッド・インプットが受信された後に、前記少なくとも１つのインプット・キー上の前記複数の文字の表示を変更するようにさらに構成され、後続の有力な候補の文字選択を、前記受信されたキーパッド・インプットに基づいて表示するために、前記少なくとも１つのインプット・キー上の前記複数の文字の前記表示の変更を開始するようにさらに構成されたプログラム化したアプリケーションと
を備えることを特徴とするサーチ・システム。
【請求項９】
請求項８に記載のサーチ・システムにおいて、前記ユーザ・インターフェースは、前記受信されたキーパッド・インプットに相互に関係する、前記データベースからの、１つまたは複数のサーチ可能エントリを表示するようにさらに構成されていることを特徴とするサーチ・システム。
【請求項１０】
請求項８に記載のサーチ・システムにおいて、前記プログラム化したアプリケーションは、前記受信されたキーパッド・インプットに相互に関係する、前記データベースからの、サーチ可能エントリを表示するために、前記少なくとも１つのインプット・キー上の前記複数の文字の前記表示の変更を開始するようにさらに構成されていることを特徴とするサーチ・システム。
【請求項１１】
請求項８に記載のサーチ・システムにおいて、前記プログラム化したアプリケーションは、前記テレビジョン・リモート・コントロール・デバイスの前記キーパッドを表わしている前記英数字キーパッドの前記インプット・キー上の前記複数の文字の前記表示の変更を開始するようにさらに構成され、前記少なくとも１つのインプット・キー上の前記表示は、後続の有力な候補の文字選択を、受信されたキーパッド・インプットに基づいて表示するように変更され、前記少なくとも１つの第２インプット・キー上の前記表示は、前記受信されたキーパッド・インプットに相互に関係する、前記データベースからの、サーチ可能エントリの一部を表示するように変更されることを特徴とするサーチ・システム。
【請求項１２】
請求項８に記載のサーチ・システムにおいて、前記ユーザ・インターフェースは、前記受信されたキーパッド・インプットに相互に関係する、前記データベースからの、１つまたは複数のサーチ可能エントリを表示するようにさらに構成され、前記プログラム化したアプリケーションは、データベース内のサーチ可能エントリを、前記テレビジョン・リモート・コントロール・デバイスの前記キーパッドを表わしている前記英数字キーパッド上のインプット・キーに相互に関連付けるインプット・キー番号の表示を開始するようにさらに構成されていることを特徴とするサーチ・システム。
【請求項１３】
請求項８に記載のサーチ・システムにおいて、
前記ユーザ・インターフェースは、前記受信されたキーパッド・インプットに相互に関係する、前記データベースからの、１つまたは複数のサーチ可能エントリを表示するようにさらに構成され、
前記プログラム化したアプリケーションは、前記データベース内のサーチ可能エントリを、前記テレビジョン・リモート・コントロール・デバイスの前記キーパッドを表わしている前記英数字キーパッド上のインプット・キーに関連付けるインプット・キー番号の表示を開始するようにさらに構成され、
前記テレビジョン・ベースのデバイスは、前記インプット・キー番号に関連付けられた前記サーチ可能エントリを選択するために、前記テレビジョン・リモート・コントロール・デバイスの前記キーパッドから入力されたキーパッド・インプットを受信するようにさらに構成されている
ことを特徴とするサーチ・システム。
【請求項１４】
インプット・デバイスのキーパッドから入力されたキーパッド・インプットを受信すること、
前記インプット・デバイスの前記キーパッドのキーパッド表現であって、複数の文字の表示を含むインプット・キーを有するキーパッド表現を表示すること、
前記受信されたキーパッド・インプットに相互に関係する、データベースからの、１つまたは複数のサーチ可能エントリを表示すること、および、
前記データベースからのサーチ可能エントリを、キーパッド表現上のインプット・キーに関連付けるようにインプット・キー番号を表示することであって、前記表示を変更することは、前記受信されたキーパッド・インプットに相互に関係する、前記データベースからの、サーチ可能エントリを表示するように少なくとも１つのインプット・キー上の複数の文字の表示を変更することを含むこと
を備えることを特徴とする方法。
【請求項１５】
請求項１４に記載の方法において、前記受信されたキーパッド・インプットを、前記データベース内の前記１つまたは複数のサーチ可能エントリに相互に関係付けることをさらに備えることを特徴とする方法。
【請求項１６】
請求項１４に記載の方法において、後続の有力な候補の文字選択を、前記受信されたキーパッド・インプットに基づいて、表示するように前記少なくとも１つのインプット・キー上の前記複数の文字の前記表示を変更することをさらに含むことを特徴とする方法。
【請求項１７】
請求項１４に記載の方法において、各キーパッド・インプットが受信された後に、少なくとも１つのインプット・キー上の前記複数の文字の前記表示を変更することをさらに含むことを特徴とする方法。
【請求項１８】
テレビジョン・リモート・コントロール・デバイスのキーパッドから入力されたサーチ用語のキーパッド・インプットを受信するように構成されたテレビジョン・ベースのデバイスと、
前記キーパッド・インプットを、受信されるにつれて表示するように構成されたユーザ・インターフェースであって、前記テレビジョン・リモート・コントロール・デバイスの前記キーパッドを表わしている英数字キーパッドを表示するようにさらに構成され、前記英数字キーパッドはインプット・キーを有し、少なくとも１つのインプット・キーが複数の文字の表示を含むユーザ・インターフェースと、
前記サーチ用語のキーパッド・インプットを、データベース内の１つまたは複数のサーチ可能エントリに相互に関係付けるように構成されたプログラム化したアプリケーションであって、各キーパッド・インプットが受信された後に、前記少なくとも１つのインプット・キー上の前記複数の文字の表示を変更するようにさらに構成され、サーチ可能エントリを、前記受信されたキーパッド・インプットに基づいて表示するために、前記少なくとも１つのインプット・キー上の前記複数の文字の前記表示の変更を開始するようにさらに構成されたプログラム化したアプリケーションと
を備えることを特徴とするサーチ・システム。
【請求項１９】
インプット・デバイスのキーパッドからのサーチ用語のキーパッド・インプットを受信すること、
前記インプット・デバイスの前記キーパッドのキーパッド表現を表示することであって、前記キーパッド表現は、インプット・キーを有し、少なくとも１つのインプット・キーが、複数の文字の表示を含むこと、
前記サーチ用語のキーパッド・インプットを、データベース内の１つまたは複数のサーチ可能エントリに相互に関係付けること、
前記受信されたキーパッド・インプットに相互に関係する、データベースからの、前記１つまたは複数のサーチ可能エントリを表示すること、および、
前記キーパッド表現の前記インプット・キー上の前記複数の文字の前記表示を変更することであって、前記少なくとも１つのインプット・キー上の前記表示は、後続の有力な候補の文字選択を、前記受信されたキーパッド・インプットに基づいて表示するように変更され、少なくとも１つの第２のインプット・キー上の前記表示は、前記受信されたキーパッド・インプットに相互に関係する、前記データベースからの、サーチ可能エントリの一部を表示するように変更されること
を備えることを特徴とする方法。
【請求項２０】
テレビジョン・リモート・コントロール・デバイスのキーパッドから入力されたサーチ用語のキーパッド・インプットを受信するように構成されたテレビジョン・ベースのデバイスと、
前記キーパッド・インプットを、受信されるにつれて表示するように構成されたユーザ・インターフェースであって、前記テレビジョン・リモート・コントロール・デバイスの前記キーパッドを表わしている英数字キーパッドを表示するようにさらに構成され、前記英数字キーパッドはインプット・キーを有し、少なくとも１つのインプット・キーが複数の文字の表示を含むユーザ・インターフェースと、
前記サーチ用語のキーパッド・インプットを、データベース内の１つまたは複数のサーチ可能エントリに相互に関係付けるように構成されたプログラム化したアプリケーションであって、各キーパッド・インプットが受信された後に、前記少なくとも１つのインプット・キー上の前記複数の文字の表示を変更するようにさらに構成され、前記少なくとも１つのインプット・キー上の前記表示は、後続の有力な候補の文字選択を、前記受信されたキーパッド・インプットに基づいて表示するように変更され、少なくとも１つの第２のインプット・キー上の前記表示は、前記受信されたキーパッド・インプットに相互に関係する、前記データベースからの、サーチ可能エントリの一部を表示するように変更されるプログラム化したアプリケーションと
を備えることを特徴とするサーチ・システム。
【手続補正２】
【補正対象書類名】明細書
【補正対象項目名】発明の名称
【補正方法】変更
【補正の内容】
【発明の名称】インプット・デバイスのためのタイプアヘッド・キーパッド・インプット